(57)【要約】従来技術において、以下の問題が存在する。ＵＥがコネクション状態へ移行してから一定時間が経った後に、ネットワーク側がＵＥのセルハンドオーバ回数に基づき当該ＵＥの移動情報を初めて取得でき、ＵＥに対するパラメータ設定最適化が遅延となり、よって通信の全体性能に対し大きく影響する。本発明は、上記問題を解決するための移動情報報告方法、システム及び機器を提供する。本発明の実施例による移動情報報告方法は、ユーザ機器がアイドル状態からコネクション状態への移行を確定することと、ユーザ機器がユーザ機器の移動情報をネットワーク側機器に報告することとを含む。ユーザ機器は、アイドル状態からコネクション状態への移行時又は移行後に直ちにネットワーク側機器にユーザ機器の移動情報を報告するため、ネットワーク側機器によるコネクション状態のＵＥ移動情報の取得時間を短縮させ、ＵＥに対するパラメータ設定最適化を加速させ、ＵＥに対するパラメータ設定最適化の遅延による通信の全体性能に対する影響を低下させる。【選択図】図７
2016532402.tif 000002
【特許請求の範囲】
【請求項１】
ユーザ機器がアイドル状態からコネクション状態への移行を確定することと、
前記ユーザ機器が前記ユーザ機器の移動情報をネットワーク側機器に報告することとを含むことを特徴とする移動情報報告方法。
【請求項２】
前記移動情報は、
ユーザ機器による移動状態推定で確定され、前記ユーザ機器の移動状態を示す情報である第１移動情報、及び／又は、ユーザ機器によるセル再選択の履歴情報である第２移動情報を含むことを特徴とする請求項１に記載の方法。
【請求項３】
前記移動情報は、第１移動情報と第２移動情報を含み、
前記ユーザ機器が前記ユーザ機器の移動情報をネットワーク側機器に報告することは、
前記ユーザ機器が第１移動情報をネットワーク側機器に報告することと、
前記ユーザ機器が前記ネットワーク側機器による前記第２移動情報の受信が必要であると確定してから、前記第２移動情報を前記ネットワーク側機器に報告することとを含むことを特徴とする請求項２に記載の方法。
【請求項４】
前記移動情報は、第２移動情報を含み、
前記ユーザ機器が前記ユーザ機器の移動情報をネットワーク側機器に報告することは、
前記ユーザ機器が空き情報をネットワーク側機器に報告することと、
前記ユーザ機器が前記ネットワーク側機器による前記第２移動情報の受信が必要であると確定してから、前記第２移動情報を前記ネットワーク側機器に報告することとを含むことを特徴とする請求項２に記載の方法。
【請求項５】
前記ユーザ機器は、
前記第２移動情報の報告が必要であることを示す設定情報を前記ネットワーク側機器から受信すると、前記ネットワーク側機器による前記第２移動情報の受信が必要であると確定し、
前記第２移動情報の報告が必要ではないことを示す設定情報を前記ネットワーク側機器から受信し、又は、前記第１移動情報報告後の所定時間内に前記ネットワーク側機器から設定情報を受信しないと、前記ネットワーク側機器による前記第２移動情報の受信が必要ではないと確定することにより、
前記ネットワーク側機器による前記第２移動情報の受信が必要であるか否かを判断することを特徴とする請求項３又は４に記載の方法。
【請求項６】
前記ユーザ機器は、
前記ネットワーク側機器による前記第２移動情報の受信が必要であると確定する前に、さらに、前記ユーザ機器に前記第２移動情報を有するか否かを示す情報をネットワーク側機器に報告することを含むことを特徴とする請求項３又は４に記載の方法。
【請求項７】
前記ユーザ機器は、
前記第１移動情報をネットワーク側機器に報告する前に、さらに、前記第１移動情報の報告が必要であることを示す設定情報を前記ネットワーク側機器から受信することを含むことを特徴とする請求項２に記載の方法。
【請求項８】
ネットワーク側機器がユーザ機器のアイドル状態からコネクション状態への移行を確定することと、
前記ネットワーク側機器が前記ユーザ機器から報告される移動情報を受信することとを含むことを特徴とする移動情報受信方法。
【請求項９】
前記移動情報は、
ユーザ機器による移動状態推定で確定され、前記ユーザ機器の移動状態を示す情報である第１移動情報、及び／又は、ユーザ機器によるセル再選択の履歴情報である第２移動情報を含むことを特徴とする請求項８に記載の方法。
【請求項１０】
前記移動情報は、第１移動情報と第２移動情報を含み、
前記ネットワーク側機器が前記ユーザ機器から報告される移動情報を受信することは、
前記ネットワーク側機器が前記ユーザ機器から報告される前記第１移動情報を受信することと、
前記ネットワーク側機器が前記第２移動情報の受信が必要であると確定してから、前記第２移動情報の報告が必要であることを示す設定情報を前記ユーザ機器に送信することと、
前記ネットワーク側機器が前記ユーザ機器から報告される前記第２移動情報を受信することとを含むことを特徴とする請求項８に記載の方法。
【請求項１１】
さらに、前記ネットワーク側機器は、前記第２移動情報の受信が必要ではないと確定してから、前記第２移動情報の報告が必要ではないとの設定情報を前記ユーザ機器に送信し、又は、前記ユーザ機器に対する設定を行わないことを含むことを特徴とする請求項１０に記載の方法。
【請求項１２】
前記ネットワーク側機器は、
前記ユーザ機器から報告される前記第１移動情報を受信する前に、さらに、前記第１移動情報の受信が必要であると確定してから、前記第１移動情報の報告が必要であるとの設定情報を前記ユーザ機器に送信することを含むことを特徴とする請求項１０又は１１に記載の方法。
【請求項１３】
移動情報を報告するユーザ機器において、
アイドル状態からコネクション状態への移行を確定するための第１確定モジュールと、
前記ユーザ機器の移動情報をネットワーク側機器に報告するための報告モジュールとを含むことを特徴とするユーザ機器。
【請求項１４】
前記移動情報は、
ユーザ機器による移動状態推定で確定され、前記ユーザ機器の移動状態を示す情報である第１移動情報、及び／又は、ユーザ機器によるセル再選択の履歴情報である第２移動情報を含むことを特徴とする請求項１３に記載のユーザ機器。
【請求項１５】
前記移動情報は、第１移動情報と第２移動情報を含み、
前記報告モジュールは、具体的に、
第１移動情報をネットワーク側機器に報告し、
前記ネットワーク側機器による前記第２移動情報の受信が必要であると確定してから、前記第２移動情報を前記ネットワーク側機器に報告することを特徴とする請求項１４に記載のユーザ機器。
【請求項１６】
前記移動情報は、第２移動情報を含み、
前記報告モジュールは、具体的に、
空き情報をネットワーク側機器に報告し、
前記ネットワーク側機器による前記第２移動情報の受信が必要であると確定してから、前記第２移動情報を前記ネットワーク側機器に報告することを特徴とする請求項１４に記載のユーザ機器。
【請求項１７】
前記報告モジュールは、
前記第２移動情報の報告が必要であることを示す設定情報を前記ネットワーク側機器から受信すると、前記ネットワーク側機器による前記第２移動情報の受信が必要であると確定し、
前記第２移動情報の報告が必要ではないことを示す設定情報を前記ネットワーク側機器から受信し、又は、前記第１移動情報報告後の所定時間内に前記ネットワーク側機器から設定情報を受信しないと、前記ネットワーク側機器による前記第２移動情報の受信が必要ではないと確定することにより、
前記ネットワーク側機器による前記第２移動情報の受信が必要であるか否かを判断することを特徴とする請求項１５又は１６に記載のユーザ機器。
【請求項１８】
前記報告モジュールは、さらに、
前記ネットワーク側機器による前記第２移動情報の受信が必要であると確定する前に、前記ユーザ機器に前記第２移動情報を有するか否かを示す情報をネットワーク側機器に報告することを特徴とする請求項１５又は１６に記載のユーザ機器。
【請求項１９】
前記報告モジュールは、さらに、
前記第１移動情報の報告が必要であることを示す設定情報を前記ネットワーク側機器から受信してから、前記第１移動情報をネットワーク側機器に報告することを特徴とする請求項１４に記載のユーザ機器。
【請求項２０】
移動情報を受信するネットワーク側機器において、
ユーザ機器のアイドル状態からコネクション状態への移行を確定するための第２確定モジュールと、
前記ユーザ機器から報告される移動情報を受信するための処理モジュールとを含むことを特徴とするネットワーク側機器。
【請求項２１】
前記移動情報は、
ユーザ機器による移動状態推定で確定され、前記ユーザ機器の移動状態を示す情報である第１移動情報、及び／又は、ユーザ機器によるセル再選択の履歴情報である第２移動情報を含むことを特徴とする請求項２０に記載のネットワーク側機器。
【請求項２２】
前記移動情報は、第１移動情報と第２移動情報を含み、
前記処理モジュールは、具体的に、
前記ユーザ機器から報告される第１移動情報を受信し、
前記第２移動情報の受信が必要であると確定してから、前記第２移動情報の報告が必要であることを示す設定情報を前記ユーザ機器に送信し、
前記ユーザ機器から報告される前記第２移動情報を受信することを特徴とする請求項２０に記載のネットワーク側機器。
【請求項２３】
前記処理モジュールは、さらに、
前記第２移動情報の受信が必要ではないと確定してから、前記第２移動情報の報告が必要ではないとの設定情報を前記ユーザ機器に送信し、又は、前記ユーザ機器に対する設定を行わないことを特徴とする請求項２２に記載のネットワーク側機器。
【請求項２４】
前記処理モジュールは、さらに、
前記ユーザ機器から報告される前記第１移動情報を受信する前に、
前記第１移動情報の受信が必要であると確定してから、前記第１移動情報の報告が必要であるとの設定情報を前記ユーザ機器に送信することを特徴とする請求項２２又は２３に記載のネットワーク側機器。
【請求項２５】
移動情報を報告するシステムにおいて、
ユーザ機器とネットワーク側機器とを含み、
ユーザ機器は、
アイドル状態からコネクション状態への移行を確定し、前記ユーザ機器の移動情報をネットワーク側機器に報告し、
ネットワーク側機器は、
ユーザ機器のアイドル状態からコネクション状態への移行を確定し、前記ユーザ機器から報告される移動情報を受信することを特徴とするシステム。
【請求項２６】
プロセッサと、メモリと、トランシーバーとを含むユーザ機器において、
前記メモリは、
前記プロセッサを設定するための１つ又は複数の実行可能プログラムの格納に用いられ、
前記プロセッサは、
１つ又は複数の実行可能プログラムが設定され、
前記１つ又は複数の実行可能プログラムは、
アイドル状態からコネクション状態への移行を確定し、前記トランシーバーで前記ユーザ機器の移動情報をネットワーク側機器に報告することを実行することに用いられることを特徴とするユーザ機器。
【請求項２７】
前記移動情報は、
ユーザ機器による移動状態推定で確定され、前記ユーザ機器の移動状態を示す情報である第１移動情報、及び／又は、ユーザ機器によるセル再選択の履歴情報である第２移動情報を含むことを特徴とする請求項２６に記載のユーザ機器。
【請求項２８】
前記移動情報は、第１移動情報と第２移動情報を含み、
前記プロセッサは、具体的に、
前記トランシーバーで第１移動情報をネットワーク側機器に報告し、
前記ネットワーク側機器による前記第２移動情報の受信が必要であると確定してから、前記トランシーバーで前記第２移動情報を前記ネットワーク側機器に報告することを特徴とする請求項２７に記載のユーザ機器。
【請求項２９】
前記移動情報は、第２移動情報を含み、
前記プロセッサは、具体的に、
前記トランシーバーで空き情報をネットワーク側機器に報告し、
前記ネットワーク側機器による前記第２移動情報の受信が必要であると確定してから、前記第２移動情報を前記ネットワーク側機器に報告することを特徴とする請求項２７に記載のユーザ機器。
【請求項３０】
前記プロセッサは、
前記第２移動情報の報告が必要であることを示す設定情報を前記ネットワーク側機器から受信すると、前記ネットワーク側機器による前記第２移動情報の受信が必要であると確定し、
前記第２移動情報の報告が必要ではないことを示す設定情報を前記ネットワーク側機器から受信し、又は、前記第１移動情報報告後の所定時間内に前記ネットワーク側機器から設定情報を受信しないと、前記ネットワーク側機器による前記第２移動情報の受信が必要ではないと確定することにより、
前記ネットワーク側機器による前記第２移動情報の受信が必要であるか否かを判断することを特徴とする請求項２８又は２９に記載のユーザ機器。
【請求項３１】
前記プロセッサは、さらに、
前記ネットワーク側機器による前記第２移動情報の受信が必要であると確定する前に、
前記ユーザ機器に前記第２移動情報を有するか否かを示す情報を前記トランシーバーでネットワーク側機器に報告することを特徴とする請求項２８又は２９に記載のユーザ機器。
【請求項３２】
前記プロセッサは、さらに、
前記第１移動情報の報告が必要であることを示す設定情報を前記ネットワーク側機器から受信してから、前記第１移動情報を前記トランシーバーでネットワーク側機器に報告することを特徴とする請求項２７に記載のユーザ機器。
【請求項３３】
プロセッサと、メモリと、トランシーバーとを含むネットワーク側機器において、
前記メモリは、
前記プロセッサを設定するための１つ又は複数の実行可能プログラムの格納に用いられ、
前記プロセッサは、
ユーザ機器のアイドル状態からコネクション状態への移行を確定し、前記ユーザ機器から報告される移動情報を前記トランシーバーで受信することを特徴とするネットワーク側機器。
【請求項３４】
前記移動情報は、
ユーザ機器による移動状態推定で確定され、前記ユーザ機器の移動状態を示す情報である第１移動情報、及び／又は、ユーザ機器によるセル再選択の履歴情報である第２移動情報を含むことを特徴とする請求項３３に記載のネットワーク側機器。
【請求項３５】
前記移動情報は、第１移動情報と第２移動情報を含み、
前記プロセッサは、具体的に、
前記ユーザ機器から報告される第１移動情報を前記トランシーバーで受信し、
前記第２移動情報の受信が必要であると確定してから、前記第２移動情報の報告が必要であることを示す設定情報を前記トランシーバーで前記ユーザ機器に送信し、
前記ユーザ機器から報告される前記第２移動情報を前記トランシーバーで受信することを特徴とする請求項３３に記載のネットワーク側機器。
【請求項３６】
前記プロセッサは、さらに、
前記第２移動情報の受信が必要ではないと確定してから、前記第２移動情報の報告が必要ではないとの設定情報を前記トランシーバーで前記ユーザ機器に送信し、又は、前記ユーザ機器に対する設定を行わないことを特徴とする請求項３３に記載のネットワーク側機器。
【請求項３７】
前記プロセッサは、さらに、
前記ユーザ機器から報告される前記第１移動情報を受信する前に、
前記第１移動情報の受信が必要であると確定してから、前記第１移動情報の報告が必要であるとの設定情報を前記トランシーバーで前記ユーザ機器に送信することを特徴とする請求項３５又は３６に記載のネットワーク側機器。
【発明の詳細な説明】
【技術分野】
【０００１】
本願は、２０１３年９月２３日に中国特許庁に提出された中国特許出願２０１３１０４３６１３１．Ｘ（発明の名称：「移動情報報告方法、システム及び機器」）の優先権を主張し、その全ての内容が援用により本願に取り込まれる。
【０００２】
本発明は、無線通信の技術分野に関し、特に移動情報報告方法、システム及び機器に関する。
【背景技術】
【０００３】
移動通信システムにおいて、フェムトセル、ピコセル、マイクロセルなどのデプロイに伴い、マクロセルしかない伝統的な同種ネットワークは、多種類タイプのセルが共存するヘテロジニアスネットワーク（Ｈｅｔｎｅｔ）に進化しつつある。
【０００４】
図１に示すように、マクロセル（ｍａｃｒｏ  ｃｅｌｌ）とピコセル（ｐｉｃｏ  ｃｅｌｌ）が共存するヘテロジニアスネットワークのシチュエーションにおいて、マクロセルとピコセルは、カバー範囲が異なるだけであり、両者による機能が同一であり、例えば、共にユーザ機器のハンドオーバを制御できる。ピコセルは、マクロセルによるカバー範囲内にあり、マクロセルとは周波数が同一であっても異なってもよい。
【０００５】
ユーザ機器ＵＥ（Ｕｓｅｒ  Ｅｑｕｉｐｍｅｎｔ）は、セルの境界まで移動すると、ハンドオーバをして、サービシングセルを変更してサービスの品質を保証する。伝統的なハンドオーバ過程は、以下である。ＵＥは、隣接セルの信号品質が一定時間、例えばタイムツートリガーＴＴＴ（ｔｉｍｅ  ｔｏ  ｔｒｉｇｇｅｒ）時間で特定測定イベントを満足し続けると検出すると、ハンドオーバ過程を発動させる。ＵＥの速度が比較的高い場合に、サービシングセルの信号品質が大きく低下するが、ＴＴＴが比較的長くなると、ハンドオーバの遅延をもたらし、さらにＵＥの無線リンク失敗が発生する。ネットワークは、ＵＥの移動情報を取得できれば、高速のＵＥに短めのＴＴＴを設定することができる。それにより、ＵＥが目標セルに間に合ってハンドオーバでき、通信の全体性能が保証される。
【０００６】
一方、ヘテロジニアスネットワークの場合に、ＵＥの移動速度により、システムの性能に影響を与える。ネットワーク側は、ＵＥの移動情報に基づきパラメータの設定を最適化し、例えば関連パラメータを切り替えたり、異なる周波数でパラメータを測定したりすることにより、通信の全体性能を保証することができる。
【０００７】
しかし、現在、ネットワーク側は、ＵＥのコネクション状態への移行後の一定時間後に、ＵＥによるセルハンドオーバ回数に基づき初めてＵＥの移動情報を取得でき、それまでにパラメータの設定を最適化できず、通信の全体性能に大きく影響する。
【０００８】
以上をまとめると、現在、ＵＥがコネクション状態へ移行して一定時間が経った後に、ネットワーク側は、ＵＥによるセルハンドオーバ回数に基づき初めてＵＥの移動情報を取得でき、ＵＥに対するパラメータ設定最適化が遅延となり、よって通信の全体性能に対し大きく影響する。
【発明の概要】
【０００９】
従来技術において、以下の問題が存在する。ＵＥがコネクション状態へ移行して一定時間が経った後に、ネットワーク側がＵＥによるセルハンドオーバ回数に基づき初めて当該ＵＥの移動情報を取得でき、ＵＥに対するパラメータ設定最適化が遅延となり、よって通信の全体性能に対し大きく影響する。本発明の実施例は、上記問題を解決するための移動情報報告方法、システム及び機器を提供する。
【００１０】
本発明の実施例による移動情報報告方法は、ユーザ機器がアイドル状態からコネクション状態への移行を確定することと、前記ユーザ機器が前記ユーザ機器の移動情報をネットワーク側機器に報告することとを含む。
【００１１】
ユーザ機器は、アイドル状態からコネクション状態への移行時又は移行後に直ちにネットワーク側機器に前記ユーザ機器の移動情報を報告するため、ネットワーク側機器によるコネクション状態のＵＥ移動情報の取得時間を短縮させ、ＵＥに対するパラメータ設定最適化を加速させ、ＵＥに対するパラメータ設定最適化の遅延による通信の全体性能への影響を低下させる。
【００１２】
前記移動情報は、ユーザ機器による移動状態推定で確定され、前記ユーザ機器の移動状態を示す情報である第１移動情報、及び／又は、ユーザ機器によるセル再選択の履歴情報である第２移動情報を含むことが好ましい。
【００１３】
前記移動情報が第１移動情報と第２移動情報を含む場合に、前記ユーザ機器が前記ユーザ機器の移動情報をネットワーク側機器に報告することは、前記ユーザ機器が第１移動情報をネットワーク側機器に報告することと、前記ユーザ機器が前記ネットワーク側機器による前記第２移動情報の受信が必要であると確定してから、前記第２移動情報を前記ネットワーク側機器に報告することとを含むことが好ましい。
【００１４】
前記移動情報が第２移動情報を含む場合に、前記ユーザ機器が前記ユーザ機器の移動情報をネットワーク側機器に報告することは、前記ユーザ機器が空き情報をネットワーク側機器に報告することと、前記ユーザ機器が前記ネットワーク側機器による前記第２移動情報の受信が必要であると確定してから、前記第２移動情報を前記ネットワーク側機器に報告することとを含むことが好ましい。
【００１５】
前記ユーザ機器は、以下の方式により、前記ネットワーク側機器による前記第２移動情報の受信が必要であるか否かを判断することが好ましい。前記ユーザ機器は、前記第２移動情報の報告が必要であることを示す設定情報を前記ネットワーク側機器から受信すると、前記ネットワーク側機器による前記第２移動情報の受信が必要であると確定するが、前記第２移動情報の報告が必要ではないことを示す設定情報を前記ネットワーク側機器から受信し、又は、前記第１移動情報報告後の所定時間内に前記ネットワーク側機器から設定情報を受信しないと、前記ネットワーク側機器による前記第２移動情報の受信が必要ではないと確定する。
【００１６】
ユーザ機器がネットワーク側機器の設定に基づき処理を行うため、ネットワーク側機器によるユーザ機器の制御が実現される。
【００１７】
当該方法において、前記ユーザ機器は、前記ネットワーク側機器による前記第２移動情報の受信が必要であると確定する前に、さらに、前記ユーザ機器に前記第２移動情報を有するか否かを示す情報をネットワーク側機器に報告することを含むことが好ましい。
【００１８】
ユーザ機器がネットワーク側機器の設定に基づき処理を行うため、ネットワーク側機器によるユーザ機器の制御が実現される。
【００１９】
当該方法において、前記ユーザ機器は、前記第１移動情報をネットワーク側機器に報告する前に、さらに、前記第１移動情報の報告が必要であることを示す設定情報を前記ネットワーク側機器から受信することを含むことが好ましい。
【００２０】
ユーザ機器がネットワーク側機器の設定に基づき処理を行うため、ネットワーク側機器によるユーザ機器の制御が実現される。
【００２１】
本発明の実施例による移動情報受信方法は、ネットワーク側機器がユーザ機器のアイドル状態からコネクション状態への移行を確定することと、前記ネットワーク側機器が前記ユーザ機器から報告される移動情報を受信することとを含む。
【００２２】
ユーザ機器は、アイドル状態からコネクション状態への移行時又は移行後に直ちにネットワーク側機器に前記ユーザ機器の移動情報を報告するため、ネットワーク側機器によるコネクション状態のＵＥ移動情報の取得時間を短縮させ、ＵＥに対するパラメータ設定最適化を加速させ、ＵＥに対するパラメータ設定最適化の遅延による通信の全体性能への影響を低下させる。
【００２３】
前記移動情報は、ユーザ機器による移動状態推定で確定され、前記ユーザ機器の移動状態を示す情報である第１移動情報、及び／又は、ユーザ機器によるセル再選択の履歴情報である第２移動情報を含むことが好ましい。
【００２４】
ネットワーク側機器がユーザ機器の設定を行うため、ネットワーク側機器によるユーザ機器の制御が実現される。
【００２５】
前記移動情報が第１移動情報と第２移動情報を含む場合に、前記ネットワーク側機器が前記ユーザ機器から報告される移動情報を受信することは、前記ネットワーク側機器が前記ユーザ機器から報告される前記第１移動情報を受信することと、前記ネットワーク側機器が前記第２移動情報の受信が必要であると確定してから、前記第２移動情報の報告が必要であることを示す設定情報を前記ユーザ機器に送信することと、前記ネットワーク側機器が前記ユーザ機器から報告される前記第２移動情報を受信することとを含むことが好ましい。
【００２６】
ネットワーク側機器がユーザ機器の設定を行うため、ネットワーク側機器によるユーザ機器の制御が実現される。
【００２７】
前記方法は、さらに以下を含むことが好ましい。前記ネットワーク側機器は、前記第２移動情報の受信が必要ではないと確定してから、前記第２移動情報の報告が必要ではないとの設定情報を前記ユーザ機器に送信し、又は、前記ユーザ機器に対する設定を行わない。
【００２８】
ネットワーク側機器がユーザ機器の設定を行うため、ネットワーク側機器によるユーザ機器の制御が実現される。
【００２９】
当該方法において、前記ネットワーク側機器は、前記ユーザ機器から報告される前記第１移動情報を受信する前に、さらに、前記第１移動情報の受信が必要であると確定してから、前記第１移動情報の報告が必要であるとの設定情報を前記ユーザ機器に送信することを含むことが好ましい。
【００３０】
ネットワーク側機器がユーザ機器の設定を行うため、ネットワーク側機器によるユーザ機器の制御が実現される。
【００３１】
本発明の実施例による、移動情報を報告するユーザ機器は、アイドル状態からコネクション状態への移行を確定するための第１確定モジュールと、前記ユーザ機器の移動情報をネットワーク側機器に報告するための報告モジュールとを含む。
【００３２】
ユーザ機器は、アイドル状態からコネクション状態への移行時又は移行後に直ちにネットワーク側機器に前記ユーザ機器の移動情報を報告するため、ネットワーク側機器によるコネクション状態のＵＥ移動情報の取得時間を短縮させ、ＵＥに対するパラメータ設定最適化を加速させ、ＵＥに対するパラメータ設定最適化の遅延による通信の全体性能への影響を低下させる。
【００３３】
前記移動情報は、ユーザ機器による移動状態推定で確定され、前記ユーザ機器の移動状態を示す情報である第１移動情報、及び／又は、ユーザ機器によるセル再選択の履歴情報である第２移動情報を含むことが好ましい。
【００３４】
前記移動情報が第１移動情報と第２移動情報を含む場合に、前記報告モジュールは、具体的に、第１移動情報をネットワーク側機器に報告し、前記ネットワーク側機器による前記第２移動情報の受信が必要であると確定してから、前記第２移動情報を前記ネットワーク側機器に報告することが好ましい。
【００３５】
前記移動情報が第２移動情報を含む場合に、前記報告モジュールは、具体的に、空き情報をネットワーク側機器に報告し、前記ネットワーク側機器による前記第２移動情報の受信が必要であると確定してから、前記第２移動情報を前記ネットワーク側機器に報告することが好ましい。
【００３６】
前記報告モジュールは、下記方式により、前記ネットワーク側機器による前記第２移動情報の受信が必要であるか否かを判断することが好ましい。前記報告モジュールは、前記第２移動情報の報告が必要であることを示す設定情報を前記ネットワーク側機器から受信すると、前記ネットワーク側機器による前記第２移動情報の受信が必要であると確定するが、前記第２移動情報の報告が必要ではないことを示す設定情報を前記ネットワーク側機器から受信し、又は、前記第１移動情報報告後の所定時間内に前記ネットワーク側機器から設定情報を受信しないと、前記ネットワーク側機器による前記第２移動情報の受信が必要ではないと確定する。
【００３７】
前記報告モジュールは、さらに、前記ネットワーク側機器による前記第２移動情報の受信が必要であると確定する前に、前記ユーザ機器に前記第２移動情報を有するか否かを示す情報をネットワーク側機器に報告することが好ましい。
【００３８】
前記報告モジュールは、さらに、前記第１移動情報の報告が必要であることを示す設定情報を前記ネットワーク側機器から受信してから、前記第１移動情報をネットワーク側機器に報告することが好ましい。
【００３９】
本発明の実施例による、移動情報を受信するネットワーク側機器は、ユーザ機器のアイドル状態からコネクション状態への移行を確定するための第２確定モジュールと、前記ユーザ機器から報告される移動情報を受信するための処理モジュールとを含む。
【００４０】
前記移動情報は、ユーザ機器による移動状態推定で確定され、前記ユーザ機器の移動状態を示す情報である第１移動情報、及び／又は、ユーザ機器によるセル再選択の履歴情報である第２移動情報を含むことが好ましい。
【００４１】
前記移動情報が第１移動情報と第２移動情報を含む場合に、前記処理モジュールは、具体的に、前記ユーザ機器から報告される第１移動情報を受信し、前記第２移動情報の受信が必要であると確定してから、前記第２移動情報の報告が必要であることを示す設定情報を前記ユーザ機器に送信し、前記ユーザ機器から報告される前記第２移動情報を受信することが好ましい。
【００４２】
前記処理モジュールは、さらに、前記第２移動情報の受信が必要ではないと確定してから、前記第２移動情報の報告が必要ではないとの設定情報を前記ユーザ機器に送信し、又は、前記ユーザ機器に対する設定を行わないことが好ましい。
【００４３】
前記処理モジュールは、さらに、前記ユーザ機器から報告される前記第１移動情報を受信する前に、前記第１移動情報の受信が必要であると確定してから、前記第１移動情報の報告が必要であるとの設定情報を前記ユーザ機器に送信することが好ましい。
【００４４】
本発明の実施例による、移動情報を報告するシステムは、ユーザ機器とネットワーク側機器とを含み、ユーザ機器がアイドル状態からコネクション状態への移行を確定し、前記ユーザ機器の移動情報をネットワーク側に報告し、ネットワーク側機器がユーザ機器のアイドル状態からコネクション状態への移行を確定し、前記ユーザ機器から報告される移動情報を受信する。
【００４５】
本発明の実施例によるユーザ機器は、プロセッサと、メモリと、トランシーバーとを含む。前記メモリは、前記プロセッサを設定するための１つ又は複数の実行可能プログラムの格納に用いられる。前記プロセッサは、１つ又は複数の実行可能プログラムが設定される。前記１つ又は複数の実行可能プログラムは、下記方法の実行に用いられ、即ち、ユーザ設備がアイドル状態からコネクション状態への移行を確定し、前記ユーザ機器が前記ユーザ機器の移動情報をネットワーク側機器に報告する。
【００４６】
本発明の実施例によるネットワーク側機器は、プロセッサと、メモリと、トランシーバーとを含む。前記メモリは、前記プロセッサを設定するための１つ又は複数の実行可能プログラムの格納に用いられる。前記プロセッサは、ユーザ機器のアイドル状態からコネクション状態への移行を確定し、前記ユーザ機器から報告される移動情報を前記トランシーバーで受信する。
【発明の効果】
【００４７】
ユーザ機器は、アイドル状態からコネクション状態への移行時又は移行後に直ちにネットワーク側機器に前記ユーザ機器の移動情報を報告するため、ネットワーク側機器によるコネクション状態のＵＥ移動情報の取得時間を短縮させ、ＵＥに対するパラメータ設定最適化を加速させ、ＵＥに対するパラメータ設定最適化の遅延による通信の全体性能への影響を低下させる。
【図面の簡単な説明】
【００４８】
本発明の実施例の技術案をより明確に説明するために、以下、実施例の記載に使用される図面を簡単に紹介する。以下に記載する図面は、本発明の一部の実施例に過ぎない。当業者にとって、創造性のある作業を付することなく、これらの図面から他の図面を得られることが明らかである。
【００４９】
【図１】背景技術におけるヘテロジニアスネットワークの模式図である。
【図２】本発明の実施例における移動情報報告システムの構造模式図である。
【図３】本発明の実施例の移動情報報告システムにおける第１種類のユーザ機器の構造模式図である。
【図４】本発明の実施例の移動情報報告システムにおける第１種類のネットワーク側機器の構造模式図である。
【図５】本発明の実施例の移動情報報告システムにおける第２種類のユーザ機器の構造模式図である。
【図６】本発明の実施例の移動情報報告システムにおける第２種類のネットワーク側機器の構造模式図である。
【図７】本発明の実施例において、ユーザ機器による移動情報報告方法のフローチャートである。
【図８】本発明の実施例において、ネットワーク側機器による移動情報受信方法のフローチャートである。
【図９】本発明の実施例における第３種類のユーザ機器の構造模式図である。
【図１０】本発明の実施例における第３種類のネットワーク側機器の構造模式図である。
【発明を実施するための形態】
【００５０】
本発明の目的、技術案及び利点をより明確にするために、以下、図面とともに本発明をさらに詳細に記載する。記載する実施例は、本発明の一部の実施例に過ぎず、ずべての実施例ではないことが明らかである。当業者が本発明の実施例に基づき、創造性のある作業を付することなく得られるその他の全ての実施例は、いずれも本発明による保護範囲に属するものである。
【００５１】
本発明の実施例において、ユーザ機器がアイドル状態からコネクション状態への移行時又は移行後に直ちにネットワーク側機器にユーザ機器の移動情報を報告するため、ネットワーク側機器によるコネクション状態のＵＥ移動情報の取得時間を短縮させ、ＵＥに対するパラメータ設定最適化を加速させ、ＵＥに対するパラメータ設定最適化の遅延による通信の全体性能への影響を低下させる。
【００５２】
以下、明細書の図面とともに本発明の実施例をさらに詳細に記載する。
【００５３】
図２に示すように、本発明の実施例の移動情報報告システムは、ユーザ機器１０とネットワーク側機器２０とを含む。ユーザ機器１０は、アイドル状態からコネクション状態への移行を確定し、ユーザ機器の移動情報をネットワーク側機器に報告する。ネットワーク側機器２０は、ユーザ機器のアイドル状態からコネクション状態への移行を確定し、ユーザ機器から報告される移動情報を受信する。
【００５４】
ここで、移動情報は、第１移動情報、及び／又は、第２移動情報を含む。ここで、第１移動情報は、ユーザ機器による移動状態推定で確定され、ユーザ機器の移動状態を示す情報であり、例えば移動状態推定ＭＳＥ（Ｍｏｂｉｌｉｔｙ  ｓｔａｔｅ  ｅｓｔｉｍａｔｉｏｎ）評価結果（評価結果として、高速、中速、低速、結果ナシを含んでもよい）である。第２移動情報は、ユーザ機器によるセル再選択の履歴情報である。
【００５５】
以下、それぞれ説明する。
【００５６】
方式１：移動情報は、第１移動情報と第２移動情報を含む。
【００５７】
ユーザ機器は、コネクション状態への移行時又は移行後に直ちに第１移動情報をネットワーク側機器に報告し、ネットワーク側機器による第２移動情報の受信が必要であると確定してから、第２移動情報をネットワーク側機器に報告する。
【００５８】
ユーザ機器は、以下の方式により、ネットワーク側機器による第２移動情報の受信が必要であるか否かを判断することが好ましい。ユーザ機器は、第２移動情報の報告が必要であることを示す設定情報をネットワーク側機器から受信すると、ネットワーク側機器による第２移動情報の受信が必要であると確定するが、第２移動情報の報告が必要ではないことを示す設定情報をネットワーク側機器から受信し、又は、第１移動情報報告後の所定時間内にネットワーク側機器から設定情報を受信しないと、ネットワーク側機器による第２移動情報の受信が必要ではないと確定する。
【００５９】
対応して、ネットワーク側機器は、ユーザ機器から報告される第１移動情報を受信し、第２移動情報の受信が必要であると確定してから、第２移動情報の報告が必要であることを示す設定情報をユーザ機器に送信し、ユーザ機器から報告される第２移動情報を受信する。
【００６０】
ネットワーク側機器は、第２移動情報の受信が必要ではないと確定してから、第２移動情報の報告が必要ではないとの設定情報をユーザ機器に送信し、又は、ユーザ機器に対する設定を行わない。
【００６１】
第２移動情報の報告要否に関するネットワーク側機器の決定を支持するために、ユーザ機器は、ネットワーク側機器による第２移動情報の受信が必要であると確定する前に、さらに、ユーザ機器に第２移動情報を有するか否かを示す情報をネットワーク側機器に報告することが好ましい。
【００６２】
ここで、ユーザ機器に第２移動情報を有するか否かを示す情報は、第１移動情報と一緒に報告されてもよい。
【００６３】
ネットワーク側機器は、ユーザ機器の制御を可能にするために、実施に際して、第１移動情報の受信が必要であると確定してから、第１移動情報の報告が必要であるとの設定情報をユーザ機器に送信する必要がある。
【００６４】
対応して、ユーザ機器は、第１移動情報の報告が必要であるとの設定情報をネットワーク側機器から受信すると、第１移動情報を報告する。
【００６５】
ネットワーク側機器は、第１移動情報の受信を必要としない場合、第１移動情報の報告が必要ではないとの設定情報をユーザ機器に送信し、又は、設定を行わない。
【００６６】
対応して、ユーザ機器は、第１移動情報の報告が必要ではないとの設定情報を受信し、又はコネクション状態移行後の所定時間内に関連設定情報を受信しないと、第１移動情報を報告しない。
【００６７】
実施に際して、ネットワーク側機器によりユーザ機器の報告を発動させる場合に、ユーザ機器は、ネットワーク側機器の移動情報受信要否を確定してから初めて報告する。
【００６８】
ネットワーク側機器によりユーザ機器の報告を発動させる必要がない場合に、ユーザ機器は、コネクション状態に移行する後に報告する。
【００６９】
ユーザ機器による報告を発動させる移動情報は、第１移動情報及び／又は第２移動情報である。
【００７０】
方式２：移動情報は、第２移動情報を含む。
【００７１】
実施に際して、一部のユーザ機器に第１移動情報取得力がない可能性がある。この場合、ユーザ機器は、第２移動情報のみを報告してもよい。
【００７２】
具体的に、ユーザ機器は、コネクション状態への移行時又は移行後に直ちに空き情報をネットワーク側機器に報告し、ネットワーク側機器による第２移動情報の受信が必要であると確定してから、第２移動情報をネットワーク側機器に報告する。
【００７３】
実施に際して、ユーザ機器は、空き情報をネットワーク側機器に報告しなくてもよく、コネクション状態に移行する後に、直接ネットワーク側機器による第２移動情報の受信が必要であるか否かを判断する。
【００７４】
ユーザ機器は、以下の方式により、ネットワーク側機器による第２移動情報の受信が必要であるか否かを判断することが好ましい。ユーザ機器は、第２移動情報の報告が必要であることを示す設定情報をネットワーク側機器から受信すると、ネットワーク側機器による第２移動情報の受信が必要であると確定するが、第２移動情報の報告が必要ではないことを示す設定情報をネットワーク側機器から受信し、又は、第１移動情報報告後の所定時間内にネットワーク側機器から設定情報を受信しないと、ネットワーク側機器による第２移動情報の受信が必要ではないと確定する。
【００７５】
対応して、ネットワーク側機器は、ユーザ機器から報告される第１移動情報を受信し、第２移動情報の受信が必要であると確定してから、第２移動情報の報告が必要であることを示す設定情報をユーザ機器に送信し、ユーザ機器から報告される第２移動情報を受信する。
【００７６】
ネットワーク側機器は、第２移動情報の受信が必要ではないと確定してから、第２移動情報の報告が必要ではないとの設定情報をユーザ機器に送信し、又は、ユーザ機器に対する設定を行わない。
【００７７】
第２移動情報の報告要否に関するネットワーク側機器の決定を幇助するために、ユーザ機器は、ネットワーク側機器による第２移動情報の受信が必要であると確定する前に、ユーザ機器に第２移動情報を有するか否かを示す情報をネットワーク側機器に報告することが好ましい。
【００７８】
ここで、ユーザ機器に第２移動情報を有するか否かを示す情報は、空き情報と一緒に報告されてもよい。
【００７９】
ユーザ機器は、空き情報を報告しない場合、第２移動情報を有するか否かを示す情報のみを報告してもよい。
【００８０】
ネットワーク側機器は、ユーザ機器の制御を可能にするために、実施に際して、第１移動情報の受信が必要であると確定してから、第１移動情報の報告が必要であるとの設定情報をユーザ機器に送信する必要がある。
【００８１】
対応して、ユーザ機器は、第１移動情報の報告が必要であるとの設定情報をネットワーク側機器から受信すると、空き情報を報告する。
【００８２】
ネットワーク側機器は、第１移動情報の受信を必要としない場合、第１移動情報の報告が必要ではないとの設定情報をユーザ機器に送信し、又は、設定を行わない。
【００８３】
対応して、ユーザ機器は、第１移動情報の報告が必要ではないとの設定情報を受信し、又はコネクション状態移行後の所定時間内に関連設定情報を受信しないと、空き情報を報告しない。
【００８４】
実施に際して、ネットワーク側機器によりユーザ機器の報告を発動させる場合に、ユーザ機器は、ネットワーク側機器の移動情報受信要否を確定してから初めて報告する。
【００８５】
ネットワーク側機器によりユーザ機器の報告を発動させる必要がない場合に、ユーザ機器は、コネクション状態に移行すると報告する。
【００８６】
ユーザ機器による報告を発動させる移動情報は、第１移動情報及び／又は第２移動情報である。
【００８７】
方式３：移動情報は、第１移動情報を含む。
【００８８】
実施に際して、一部のユーザ機器に第２移動情報取得力がない可能性がある。この場合、ユーザ機器は、第１移動情報のみを報告してもよい。
【００８９】
具体的に、ユーザ機器は、コネクション状態への移行時又は移行後に直ちに第１移動情報をネットワーク側機器に報告する。
【００９０】
対応して、ネットワーク側機器は、第１移動情報を受信する。
【００９１】
第２移動情報の報告要否に関するネットワーク側機器の決定を幇助するために、ユーザ機器は、ネットワーク側機器による第２移動情報の受信が必要であると確定する前に、ユーザ機器に第２移動情報を有するか否かを示す情報をネットワーク側機器に報告することが好ましい。
【００９２】
ここで、ユーザ機器に第２移動情報を有するか否かを示す情報は、第１移動情報と一緒に報告されてもよい。
【００９３】
ネットワーク側機器は、ユーザ機器の制御を可能にするために、実施に際して、第１移動情報の受信が必要であると確定してから、第１移動情報の報告が必要であるとの設定情報をユーザ機器に送信する必要がある。
【００９４】
対応して、ユーザ機器は、第１移動情報の報告が必要であるとの設定情報をネットワーク側機器から受信すると、第１移動情報を報告する。
【００９５】
ネットワーク側機器は、第１移動情報の受信が必要ではない場合、第１移動情報の報告が必要ではないとの設定情報をユーザ機器に送信し、又は、設定を行わない。
【００９６】
対応して、ユーザ機器は、第１移動情報の報告が必要ではないとの設定情報を受信し、又はコネクション状態移行後の所定時間内に関連設定情報を受信しないと、第１移動情報を報告しない。
【００９７】
実施に際して、ネットワーク側機器によりユーザ機器の第１移動情報報告を発動させる場合に、ユーザ機器は、ネットワーク側機器による第１移動情報の受信要否を確定してから初めて報告する。
【００９８】
ネットワーク側機器によりユーザ機器の報告を発動させる必要がない場合に、ユーザ機器は、コネクション状態に移行すると報告する。
【００９９】
上記３つの方式において、ユーザ機器に第２移動情報を有する場合に、上述したユーザ機器に第２移動情報を有するか否かを示す情報は、ユーザ機器に第２移動情報を有することを示す情報である。
【０１００】
ユーザ機器に第２移動情報を有しない場合に、上述したユーザ機器に第２移動情報を有するか否かを示す情報は、ユーザ機器に第２移動情報がないことを示す情報である。
【０１０１】
上記３つの方式において、ネットワーク側機器によるユーザ機器の設定は、ブロードキャスト又は無線リソース制御ＲＲＣ（Ｒａｄｉｏ  Ｒｅｓｏｕｒｃｅ  Ｃｏｎｔｒｏｌ）専用シグナリングなどの方式により行われる。
【０１０２】
以下、幾つかの実施例を列挙して本発明の技術案を説明する。
【０１０３】
実施例１：
ＵＥは、ＩＤＬＥ（アイドル）状態でのＭＳＥをサポートし、且つアクセスセル履歴の記憶をサポートできる。
【０１０４】
ＵＥは、ＩＤＬＥ状態でＭＳＥをして自身の移動状態を高速と評価し、１０個の直近アクセスセルのセル識別子と滞在時間を含むアクセスセル履歴を記憶する。ＵＥは、コネクション状態移行後に、高速である移動状態と、ＵＥがアクセスセル履歴を報告できることを示す能力識別子１とをネットワーク側機器に報告する。
【０１０５】
ネットワーク側機器は、受信後に、現在ネットワークに基づきＨｅｔｎｅｔのシチュエーションにデプロイし、ＵＥが評価した移動状態が高速であり、且つ識別能力識別子が１であるため、ＵＥによる報告が必要であると確定し、ＲＲＣ専用シグナリングにより報告識別子ａをＵＥに送信する。
【０１０６】
ＵＥは、ネットワーク側機器のＲＲＣ専用シグナリングを受信すると、報告識別子がａであることを識別し、アクセスセル履歴をネットワーク側機器に報告する。
【０１０７】
ネットワーク側機器は、アクセスセル履歴に基づき、より精確なＵＥ移動情報を取得できる。
【０１０８】
実施例２：
ＵＥは、ＩＤＬＥ状態でのＭＳＥをサポートし、且つアクセスセル履歴の記憶をサポートできる。
【０１０９】
ＵＥは、ＩＤＬＥ状態でＭＳＥをして自身の移動状態を高速と評価し、１０個の直近アクセスセルのセル識別子と滞在時間を含むアクセスセル履歴を記憶する。ＵＥは、コネクション状態移行後に、高速である移動状態と、ＵＥがアクセスセル履歴を報告できることを示す能力識別子１をネットワーク側機器に報告する。
【０１１０】
ネットワーク側機器は、受信後に、現在ネットワークに基づき、ｍａｃｒｏ  ｏｎｌｙのシチュエーションにデプロイし、ＵＥが評価した移動状態が高速であり、且つ識別能力識別子が１であるため、ＵＥによる報告が必要ではないと確定し、ＲＲＣ専用シグナリングにより報告識別子ｂをＵＥに送信し、又は報告識別子を送信しない。
【０１１１】
ＵＥは、ネットワーク側機器のＲＲＣ専用シグナリングを受信すると、報告識別子がｂであるか、報告識別子がないことを識別し、アクセスセル履歴を報告しない。
【０１１２】
実施例３：
ＵＥは、ＩＤＬＥ状態でのＭＳＥをサポートしないが、アクセスセル履歴の記憶をサポートできる。
【０１１３】
ＵＥは、ＩＤＬＥ状態で、１０個の直近アクセスセルのセル識別子と滞在時間を含むアクセスセル履歴を記憶する。ＵＥは、コネクション状態移行後に、結果ナシである移動状態と、ＵＥがアクセスセル履歴を報告できることを示す能力識別子１をネットワーク側機器に報告する。
【０１１４】
ネットワーク側機器は、受信後に、現在ネットワークに基づきＨｅｔｎｅｔのシチュエーションにデプロイし、識別能力識別子が１であるため、ＵＥによる報告が必要であると確定し、ＲＲＣ専用シグナリングにより報告識別子ａをＵＥに送信する。
【０１１５】
ＵＥは、ネットワーク側機器のＲＲＣ専用シグナリングを受信すると、報告識別子がａであることを識別し、ＵＥによる報告が必要であると確定し、アクセスセル履歴をネットワーク側機器に報告する。
【０１１６】
ネットワーク側機器は、アクセスセル履歴に基づきＵＥの移動情報を取得できる。
【０１１７】
実施例４：
ＵＥは、ＩＤＬＥ状態でのＭＳＥをサポートするが、アクセスセル履歴の記憶をサポートしない。
【０１１８】
ＵＥは、ＩＤＬＥ状態でＭＳＥをして自身の移動状態を高速と評価する。ＵＥは、コネクション状態移行後に、高速である移動状態と、ＵＥがアクセスセル履歴を報告できないことを示す能力識別子２をネットワーク側機器に報告する。
【０１１９】
ネットワーク側機器は、受信後に、識別能力識別子が２であるため、ＵＥによる報告が必要ではないと確定し、ＲＲＣ専用シグナリングにより報告識別子ｂをＵＥに送信し、または報告識別子を送信しない。
【０１２０】
ＵＥは、ネットワーク側機器のＲＲＣ専用シグナリングを受信すると、報告識別子がｂであり、又は報告識別子がないことを識別し、アクセスセル履歴を報告しない。
【０１２１】
実施例５：
ＵＥは、ＩＤＬＥ状態でのＭＳＥをサポートし、且つアクセスセル履歴の記憶をサポートできる。
【０１２２】
ＵＥは、ＩＤＬＥ状態でＭＳＥをして自身の移動状態を高速と評価し、１０個の直近アクセスセルのセル識別子と滞在時間を含むアクセスセル履歴を記憶する。ＵＥは、コネクション状態移行後に、高速である移動状態をネットワーク側機器に報告する。
【０１２３】
ネットワーク側機器は、受信後に、現在ネットワークに基づきＨｅｔｎｅｔのシチュエーションにデプロイし、ＵＥが評価した移動状態が高速であるため、ＵＥによる報告が必要であると確定し、ＲＲＣ専用シグナリングにより、報告識別子ａをＵＥに送信する。
【０１２４】
ＵＥは、ネットワーク側機器のＲＲＣ専用シグナリングを受信すると、報告識別子がａであることを識別し、アクセスセル履歴をネットワーク側機器に報告する。
【０１２５】
ネットワーク側機器は、アクセスセル履歴に基づき、より精確なＵＥ移動情報を取得できる。
【０１２６】
実施例６：
ＵＥは、ＩＤＬＥ状態でのＭＳＥをサポートし、且つアクセスセル履歴の記憶をサポートできる。
【０１２７】
ＵＥは、ＩＤＬＥ状態でＭＳＥをして自身の移動状態を高速と評価し、１０個の直近アクセスセルのセル識別子と滞在時間を含むアクセスセル履歴を記憶する。
【０１２８】
ネットワーク側機器は、ブロードキャストにより識別子ｘを送信する。
【０１２９】
ＵＥは、コネクション状態への移行時に、ネットワークでブロードキャストされる識別子ｘを読み取り、移動情報を報告しない。
【０１３０】
図３に示すように、本発明の実施例の移動情報報告システムにおける第１種類のユーザ機器は、アイドル状態からコネクション状態への移行を確定するための第１確定モジュール３００と、ユーザ機器の移動情報をネットワーク側機器に報告するための報告モジュール３１０とを含む。
【０１３１】
移動情報は、ユーザ機器による移動状態推定で確定され、ユーザ機器の移動状態を示す情報である第１移動情報、及び／又は、ユーザ機器によるセル再選択の履歴情報である第２移動情報を含むことが好ましい。
【０１３２】
移動情報が第１移動情報と第２移動情報を含む場合に、報告モジュール３１０は、具体的に、第１移動情報をネットワーク側機器に報告し、ネットワーク側機器による第２移動情報の受信が必要であると確定してから、第２移動情報をネットワーク側機器に報告することが好ましい。
【０１３３】
移動情報が第２移動情報を含む場合に、報告モジュール３１０は、具体的に、空き情報をネットワーク側機器に報告し、ネットワーク側機器による第２移動情報の受信が必要であると確定してから、第２移動情報をネットワーク側機器に報告することが好ましい。
【０１３４】
報告モジュール３１０は、以下の方式により、ネットワーク側機器による第２移動情報の受信が必要であるか否かを判断することが好ましい。報告モジュール３１０は、第２移動情報の報告が必要であることを示す設定情報をネットワーク側機器から受信すると、ネットワーク側機器による第２移動情報の受信が必要であると確定するが、第２移動情報の報告が必要ではないことを示す設定情報をネットワーク側機器から受信し、又は、第１移動情報報告後の所定時間内にネットワーク側機器から設定情報を受信しないと、ネットワーク側機器による第２移動情報の受信が必要ではないと確定する。
【０１３５】
報告モジュール３１０は、さらに、ネットワーク側機器による第２移動情報の受信が必要であると確定する前に、ユーザ機器に第２移動情報を有するか否かを示す情報をネットワーク側機器に報告することが好ましい。
【０１３６】
報告モジュール３１０は、さらに、第１移動情報の報告が必要であることを示す設定情報をネットワーク側機器から受信してから、第１移動情報をネットワーク側機器に報告することが好ましい。
【０１３７】
図４に示すように、本発明の実施例の移動情報報告システムにおける第１種類のネットワーク側機器は、ユーザ機器のアイドル状態からコネクション状態への移行を確定するための第２確定モジュール４００と、ユーザ機器から報告される移動情報を受信するための処理モジュール４１０とを含む。
【０１３８】
移動情報は、ユーザ機器による移動状態推定で確定され、ユーザ機器の移動状態を示す情報である第１移動情報、及び／又は、ユーザ機器によるセル再選択の履歴情報である第２移動情報を含むことが好ましい。
【０１３９】
移動情報が第１移動情報と第２移動情報を含む場合に、処理モジュール４１０は、具体的に、ユーザ機器から報告される第１移動情報を受信し、第２移動情報の受信が必要であると確定してから、第２移動情報の報告が必要であることを示す設定情報をユーザ機器に送信し、ユーザ機器から報告される第２移動情報を受信することが好ましい。
【０１４０】
処理モジュール４１０は、さらに、第２移動情報の受信が必要ではないと確定してから、第２移動情報の報告が必要ではないとの設定情報をユーザ機器に送信し、又は、ユーザ機器に対する設定を行わないことが好ましい。
【０１４１】
処理モジュール４１０は、さらに、ユーザ機器から報告される第１移動情報を受信する前に、第１移動情報の受信が必要であると確定してから、第１移動情報の報告が必要であるとの設定情報をユーザ機器に送信することが好ましい。
【０１４２】
同一の発明思想に基づき、本発明の実施例において、別種のユーザ機器と別種のネットワーク側機器をさらに提供する。ユーザ機器が問題を解決する原理は、本発明の実施例の方法と似ているため、ユーザ機器とネットワーク側機器の実施について、方法の実施を参照し、繰り返した説明を避ける。
【０１４３】
図５に示すように、本発明の実施例の移動情報報告システムにおける第２種類のユーザ機器は、プロセッサ５００とトランシーバー５１０を含む。プロセッサ５００は、アイドル状態からコネクション状態への移行を確定し、ユーザ機器の移動情報をトランシーバー５１０でネットワーク側機器に報告する。トランシーバー５１０は、プロセッサ５００による制御でデータを送受信する。
【０１４４】
移動情報は、ユーザ機器による移動状態推定で確定され、ユーザ機器の移動状態を示す情報である第１移動情報、及び／又は、ユーザ機器によるセル再選択の履歴情報である第２移動情報を含むことが好ましい。
【０１４５】
移動情報が第１移動情報と第２移動情報を含む場合に、プロセッサ５００は、具体的に、トランシーバー５１０で第１移動情報をネットワーク側機器に報告し、ネットワーク側機器による第２移動情報の受信が必要であると確定してから、トランシーバー５１０で第２移動情報をネットワーク側機器に報告することが好ましい。
【０１４６】
移動情報が第２移動情報を含む場合に、プロセッサ５１０は、具体的に、トランシーバー５１０で空き情報をネットワーク側機器に報告し、ネットワーク側機器による第２移動情報の受信が必要であると確定してから、第２移動情報をトランシーバー５１０でネットワーク側機器に報告することが好ましい。
【０１４７】
プロセッサ５００は、以下の方式により、ネットワーク側機器による第２移動情報の受信が必要であるか否かを判断することが好ましい。プロセッサ５００は、第２移動情報の報告が必要であることを示す設定情報をネットワーク側機器からトランシーバー５１０で受信すると、ネットワーク側機器による第２移動情報の受信が必要であると確定するが、第２移動情報の報告が必要ではないことを示す設定情報をネットワーク側機器からトランシーバー５１０で受信し、又は、第１移動情報報告後の所定時間内にネットワーク側機器から設定情報を受信しないと、ネットワーク側機器による第２移動情報の受信が必要ではないと確定する。
【０１４８】
プロセッサ５００は、さらに、ネットワーク側機器による第２移動情報の受信が必要であると確定する前に、ユーザ機器に第２移動情報を有するか否かを示す情報をトランシーバー５１０でネットワーク側機器に報告することが好ましい。
【０１４９】
プロセッサ５００は、さらに、第１移動情報の報告が必要であることを示す設定情報をネットワーク側機器からトランシーバー５１０で受信してから、第１移動情報をトランシーバー５１０でネットワーク側機器に報告することが好ましい。
【０１５０】
図５において、バスアーキテクチャは、任意数の相互接続するバスとブリッジを含み、具体的に、プロセッサ５００をはじめとする１つ又は複数のプロセサとメモリ５２０をはじめとするメモリの各種類の回路が接続したものである。バスアーキテクチャは、周辺機器、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバー５１０は、複数の部品であってもよく、即ち送信機と受信機を含み、伝送媒体でほかの各種類の装置と通信するユニットとして提供される。ユーザ機器によっては、ユーザインタフェース５３０は、内部接続や外部接続する機器のインタフェースであってもよい。接続する機器は、キーパッド、ディスプレイ、スピーカ、マイクロフォン、ジョイスティックなどを含むが、それらに限られない。
【０１５１】
プロセッサ５００は、バスアーキテクチャと通常の処理を管理する。メモリ５２０は、プロセッサ５００による作業時に使用されるデータを記憶できる。
【０１５２】
図６に示すように、本発明の実施例の移動情報報告システムにおける第２種類のネットワーク側機器は、プロセッサ６００とトランシーバー６１０を含む。プロセッサ６００は、ユーザ機器のアイドル状態からコネクション状態への移行を確定し、ユーザ機器から報告される移動情報をトランシーバー６１０で受信する。トランシーバー６１０は、プロセッサ６００による制御でデータを送受信する。
【０１５３】
移動情報は、ユーザ機器による移動状態推定で確定され、ユーザ機器の移動状態を示す情報である第１移動情報、及び／又は、ユーザ機器によるセル再選択の履歴情報である第２移動情報を含むことが好ましい。
【０１５４】
移動情報が第１移動情報と第２移動情報を含む場合に、プロセッサ６００は、具体的に、ユーザ機器から報告される第１移動情報をトランシーバー６１０で受信し、第２移動情報の受信が必要であると確定してから、第２移動情報の受信が必要であることを示す設定情報をトランシーバー６１０でユーザ機器に送信する。
【０１５５】
ネットワーク側機器は、ユーザ機器から報告される第２移動情報を受信する。
【０１５６】
プロセッサ６００は、さらに、第２移動情報の受信が必要ではないと確定してから、第２移動情報の報告が必要ではないとの設定情報をトランシーバー６１０でユーザ機器に送信し、又はユーザ機器に対する設定を行わないことが好ましい。
【０１５７】
プロセッサ６００は、さらに、ユーザ機器から報告される第１移動情報を受信する前に、第１移動情報の受信が必要と確定してから、第１移動情報の報告が必要であるとの設定情報をトランシーバー６１０でユーザ機器に送信することが好ましい。
【０１５８】
図６において、バスアーキテクチャは、任意数の相互接続するバスとブリッジを含み、具体的に、プロセッサ６００をはじめとする１つ又は複数のプロセサとメモリ６２０をはじめとするメモリの各種類の回路が接続したものである。バスアーキテクチャは、周辺機器、レギュレーター、電力管理回路などの各種類のほかの回路を接続したものであってもよい。これらは、いずれも本分野の公知事項であり、本文において更なる記載をしない。バスインタフェースにより、インタフェースが提供される。トランシーバー６１０は、複数の部品であってもよく、即ち送信機と受信機を含み、伝送媒体でほかの各種類の装置と通信するユニットとして提供される。プロセッサ６００は、バスアーキテクチャと通常の処理を管理する。メモリ６２０は、プロセッサ６００による作業時に使用されるデータを記憶できる。
【０１５９】
同一の発明思想に基づき、本発明の実施例は、ユーザ機器による移動情報報告方法とネットワーク側機器による移動情報受信方法を提供する。これらの方法に対応する機器は、本発明の実施例の移動情報報告システムにおける機器であり、しかも方法により問題を解決する原理がシステムに似ている。従って、当該方法の実施について、システムの実施を参照し、繰り返した説明を避ける。
【０１６０】
図７に示すように、本発明の実施例のユーザ機器による移動情報報告方法は、下記のステップを含む。
【０１６１】
ステップ７００において、ユーザ機器は、アイドル状態からコネクション状態への移行を確定する。
【０１６２】
ステップ７１０において、ユーザ機器は、ユーザ機器の移動情報をネットワーク側機器に報告する。
【０１６３】
移動情報は、ユーザ機器による移動状態推定で確定され、前記ユーザ機器の移動状態を示す情報である第１移動情報、及び／又は、ユーザ機器によるセル再選択の履歴情報である第２移動情報を含むことが好ましい。
【０１６４】
移動情報が第１移動情報と第２移動情報を含む場合に、ユーザ機器がユーザ機器の移動情報をネットワーク側機器に報告することは、ユーザ機器が第１移動情報をネットワーク側機器に報告することと、ユーザ機器がネットワーク側機器による第２移動情報の受信が必要であると確定してから、第２移動情報をネットワーク側機器に報告することとを含むことが好ましい。
【０１６５】
移動情報が第２移動情報を含む場合に、ユーザ機器がユーザ機器の移動情報をネットワーク側機器に報告することは、ユーザ機器が空き情報をネットワーク側機器に報告することと、ユーザ機器がネットワーク側機器による第２移動情報の受信が必要であると確定してから、第２移動情報をネットワーク側機器に報告することとを含むことが好ましい。
【０１６６】
ユーザ機器は、下記の方式により、ネットワーク側機器による第２移動情報の受信が必要であるか否かを判断することが好ましい。ユーザ機器は、第２移動情報の報告が必要であることを示す設定情報をネットワーク側機器から受信すると、ネットワーク側機器による第２移動情報の受信が必要であると確定するが、第２移動情報の報告が必要ではないことを示す設定情報をネットワーク側機器から受信し、又は、第１移動情報報告後の所定時間内にネットワーク側機器から設定情報を受信しないと、ネットワーク側機器による第２移動情報の受信が必要ではないと確定する。
【０１６７】
当該方法において、ユーザ機器は、ネットワーク側機器による第２移動情報の受信が必要であると確定する前に、さらに、ユーザ機器に第２移動情報を有するか否かを示す情報をネットワーク側機器に報告することを含むことが好ましい。
【０１６８】
当該方法において、ユーザ機器は、第１移動情報をネットワーク側機器に報告する前に、さらに、第１移動情報の報告が必要であることを示す設定情報をネットワーク側機器から受信することを含むことが好ましい。
【０１６９】
図８に示すように、本発明の実施例のネットワーク側機器による移動情報受信方法は、下記のステップを含む。
【０１７０】
ステップ８００において、ネットワーク側機器は、ユーザ機器のアイドル状態からコネクション状態への移行を確定する。
【０１７１】
ステップ８１０において、ネットワーク側機器は、ユーザ機器から報告される移動情報を受信する。
【０１７２】
移動情報は、ユーザ機器による移動状態推定で確定され、前記ユーザ機器の移動状態を示す情報である第１移動情報、及び／又は、ユーザ機器によるセル再選択の履歴情報である第２移動情報を含むことが好ましい。
【０１７３】
移動情報が第１移動情報と第２移動情報を含む場合に、ネットワーク側機器がユーザ機器から報告される移動情報を受信することは、ネットワーク側機器がユーザ機器から報告される第１移動情報を受信することと、ネットワーク側機器が第２移動情報の受信が必要であると確定してから、第２移動情報の報告が必要であることを示す設定情報をユーザ機器に送信することと、ネットワーク側機器がユーザ機器から報告される第２移動情報を受信することとを含むことが好ましい。
【０１７４】
当該方法において、さらに、ネットワーク側機器は、第２移動情報の受信が必要ではないと確定してから、第２移動情報の報告が必要ではないとの設定情報をユーザ機器に送信し、又は、ユーザ機器に対する設定を行わないことを含むことが好ましい。
【０１７５】
当該方法において、ネットワーク側機器は、ユーザ機器から報告される第１移動情報を受信する前に、さらに、第１移動情報の受信が必要であると確定してから、第１移動情報の報告が必要であるとの設定情報をユーザ機器に送信することを含むことが好ましい。
【０１７６】
図９に示すように、本発明の実施例の移動情報報告システムにおける第３種類のユーザ機器は、プロセッサ９０１と、メモリ９０２と、トランシーバー９０３とを含む。トランシーバー９０３は、実際状況に応じて、ベースバンド処理部、無線周波数処理部などの機器を含んでもよく、関連情報の伝送に用いられる。前記メモリ９０２は、前記プロセッサを設定するための１つ又は複数の実行可能プログラムの格納に用いられる。前記プロセッサ９０１は、１つ又は複数の実行可能プログラムが設定される。前記１つ又は複数の実行可能プログラムは、下記方法の実行に用いられ、即ち、アイドル状態からコネクション状態への移行を確定し、前記トランシーバー９０３で前記ユーザ機器の移動情報をネットワーク側機器に報告する。
【０１７７】
前記移動情報は、ユーザ機器による移動状態推定で確定され、前記ユーザ機器の移動状態を示す情報である第１移動情報、及び／又は、ユーザ機器によるセル再選択の履歴情報である第２移動情報を含むことが好ましい。
【０１７８】
前記移動情報が第１移動情報と第２移動情報を含む場合に、前記プロセッサ９０１は、具体的に、前記トランシーバー９０３で第１移動情報をネットワーク側機器に報告し、前記ネットワーク側機器による前記第２移動情報の受信が必要であると確定してから、前記第２移動情報を前記ネットワーク側機器に報告することが好ましい。
【０１７９】
前記移動情報が第２移動情報を含む場合に、前記プロセッサ９０１は、具体的に、前記トランシーバー９０３で空き情報をネットワーク側機器に報告し、前記ネットワーク側機器による前記第２移動情報の受信が必要であると確定してから、前記第２移動情報を前記ネットワーク側機器に前記トランシーバー９０３で報告することが好ましい。
【０１８０】
前記プロセッサ９０１は、下記の方式により、前記ネットワーク側機器による前記第２移動情報の受信が必要であるか否かを判断することが好ましい。プロセッサ９０１は、前記第２移動情報の報告が必要であることを示す設定情報を前記ネットワーク側機器から受信すると、前記ネットワーク側機器による前記第２移動情報の受信が必要であると確定するが、前記第２移動情報の報告が必要ではないことを示す設定情報を前記ネットワーク側機器から受信し、又は、前記第１移動情報報告後の所定時間内に前記ネットワーク側機器から設定情報を受信しないと、前記ネットワーク側機器による前記第２移動情報の受信が必要ではないと確定する。
【０１８１】
前記プロセッサ９０１は、さらに、前記ネットワーク側機器による前記第２移動情報の受信が必要であると確定する前に、前記ユーザ機器に前記第２移動情報を有するか否かを示す情報を前記トランシーバー９０３でネットワーク側機器に報告することが好ましい。
【０１８２】
前記プロセッサ９０１は、さらに、前記第１移動情報の報告が必要であることを示す設定情報を前記ネットワーク側機器から受信してから、前記第１移動情報を前記トランシーバー９０３でネットワーク側機器に報告することが好ましい。
【０１８３】
図１０に示すように、本発明の実施例の移動情報報告システムの第３種類のネットワーク側機器は、プロセッサ１００１と、メモリ１００２と、トランシーバー１００３とを含む。トランシーバー１００３は、実際状況に応じて、ベースバンド処理部、無線周波数処理部などの機器を含んでもよく、関連情報の伝送に用いられる。前記メモリ１００２は、前記プロセッサを設定するための１つ又は複数の実行可能プログラムの格納に用いられる。前記プロセッサ１００１は、ユーザ機器のアイドル状態からコネクション状態への移行を確定し、前記ユーザ機器から報告される移動情報を前記トランシーバー１００３で受信する。
【０１８４】
前記移動情報は、ユーザ機器による移動状態推定で確定され、前記ユーザ機器の移動状態を示す情報である第１移動情報、及び／又は、ユーザ機器によるセル再選択の履歴情報である第２移動情報を含むことが好ましい。
【０１８５】
前記移動情報が第１移動情報と第２移動情報を含む場合に、前記プロセッサ１００１は、具体的に、前記ユーザ機器から報告される第１移動情報を前記トランシーバー１００３で受信し、前記第２移動情報の受信が必要であると確定してから、前記第２移動情報の報告が必要であることを示す設定情報を前記トランシーバー１００３で前記ユーザ機器に送信し、前記ユーザ機器から報告される前記第２移動情報を前記トランシーバー１００３で受信することが好ましい。
【０１８６】
前記プロセッサ１００１は、さらに、前記第２移動情報の受信が必要ではないと確定してから、前記第２移動情報の報告が必要ではないとの設定情報を前記トランシーバー１００３で前記ユーザ機器に送信し、又は、前記ユーザ機器に対する設定を行わないことが好ましい。
【０１８７】
前記プロセッサ１００１は、さらに、前記ユーザ機器から報告される前記第１移動情報を受信する前に、前記第１移動情報の受信が必要であると確定してから、前記第１移動情報の報告が必要であるとの設定情報を前記トランシーバー１００３で前記ユーザ機器に送信することが好ましい。
【０１８８】
本発明の実施例は、方法、システム、又はコンピュータプログラムプロダクトとして提供されうると当業者が理解できる。従って、本発明は、完全ハードウェアの実施例、完全ソフトウェアの実施例、又はソフトウェアとハードウェアを組み合わせた実施例の形態を取り得る。しかも、本発明は、コンピュータ利用可能プログラムコードを含む１つ又は複数のコンピュータ利用可能記憶媒体（磁気ディスクメモリ、ＣＤ−ＲＯＭ、光学メモリなどを含むが、それらに限らない）で実施されるコンピュータプログラムプロダクトの形態を取り得る。
【０１８９】
本発明は、本発明の実施例による方法、デバイス（システム）及びコンピュータプログラムプロダクトのフロー図及び／又はブロック図を参照にして記載されている。フロー図及び／又はブロック図における各フロー及び／又はブロック、及びフロー図及び／又はブロック図におけるフロー及び／又はブロックの組み合わせは、コンピュータプログラムコマンドにより実現されうると理解されるべきである。これらのコンピュータプログラムコマンドを通用コンピュータ、専用コンピュータ、嵌め込み式処理機又は他のプログラマブルデータ処理デバイスのプロセッサに提供して１つの機器を形成し、コンピュータ又は他のプログラマブルデータ処理デバイスのプロセッサに実行される指令により、フロー図の１つ又は複数のフロー及び／又はブロック図の１つ又は複数のブロックで指定される機能を実現するための装置を形成する。
【０１９０】
これらのコンピュータプログラムコマンドは、コンピュータ又は他のプログラマブルデータ処理デバイスの特定の方式での動作を導けるコンピュータ読み出し可能メモリに格納されてもよく、当該コンピュータ読み出し可能メモリに格納されるコマンドにより、コマンド装置を含むプロダクトを形成する。当該コマンド装置は、フロー図の１つ又は複数のフロー及び／又はブロック図の１つ又は複数のブロックで指定される機能を実現する。
【０１９１】
これらのコンピュータプログラムコマンドは、コンピュータ又は他のプログラマブルデータ処理デバイスにロードされてもよく、コンピュータ又は他のプログラマブルデータ処理デバイスで一連の操作工程を実行することにより、コンピュータで実現される処理を形成し、コンピュータ又は他のプログラマブルデータ処理デバイスで実行されるコマンドにより、フロー図の１つ又は複数のフロー及び／又はブロック図の１つ又は複数のブロックで指定される機能を実現するためのステップを提供する。
【０１９２】
本発明の好ましい実施例を記載したが、当業者は、いったん創造性を持つ基本的概念を知ると、これらの実施例について別途に変更や修正をすることができる。従って、添付する請求項は、好ましい実施例、及び、本発明の範囲にカバーされる全ての変更や修正を含むものであると解釈されることを意図とする。
【０１９３】
明らかに、当業者は、本発明の精神や範囲を逸脱せずに、本発明に対して様々な変更や変形をすることができる。このように、本発明のこれらの修正や変形が本発明の請求項及びその同等の技術範囲に含まれるものであれば、本発明は、これらの変更や変形を含むことを意図とする。
【図１】
2016532402.tif 000003
【図２】
2016532402.tif 000004
【図３】
2016532402.tif 000005
【図４】
2016532402.tif 000006
【図５】
2016532402.tif 000007
【図６】
2016532402.tif 000008
【図７】
2016532402.tif 000009
【図８】
2016532402.tif 000010
【図９】
2016532402.tif 000011
【図１０】
2016532402.tif 000012
【手続補正書】
【提出日】平成28年3月9日(2016.3.9)
【手続補正１】
【補正対象書類名】特許請求の範囲
【補正対象項目名】全文
【補正方法】変更
【補正の内容】
【特許請求の範囲】
【請求項１】
ユーザ機器がアイドル状態からコネクション状態への移行を確定することと、
前記ユーザ機器が前記ユーザ機器の移動情報をネットワーク側機器に報告することとを含むことを特徴とする移動情報報告方法。
【請求項２】
前記移動情報は、
ユーザ機器による移動状態推定で確定され、前記ユーザ機器の移動状態を示す情報である第１移動情報、及び／又は、ユーザ機器によるセル再選択の履歴情報である第２移動情報を含むことを特徴とする請求項１に記載の方法。
【請求項３】
前記移動情報は、第１移動情報と第２移動情報を含み、
前記ユーザ機器が前記ユーザ機器の移動情報をネットワーク側機器に報告することは、
前記ユーザ機器が第１移動情報をネットワーク側機器に報告することと、
前記ユーザ機器が前記ネットワーク側機器による前記第２移動情報の受信が必要であると確定してから、前記第２移動情報を前記ネットワーク側機器に報告することとを含み、
又は、
前記移動情報は、第２移動情報を含み、
前記ユーザ機器が前記ユーザ機器の移動情報をネットワーク側機器に報告することは、
前記ユーザ機器が空き情報をネットワーク側機器に報告することと、
前記ユーザ機器が前記ネットワーク側機器による前記第２移動情報の受信が必要であると確定してから、前記第２移動情報を前記ネットワーク側機器に報告することとを含むことを特徴とする請求項２に記載の方法。
【請求項４】
前記ユーザ機器は、
前記第２移動情報の報告が必要であることを示す設定情報を前記ネットワーク側機器から受信すると、前記ネットワーク側機器による前記第２移動情報の受信が必要であると確定し、
前記第２移動情報の報告が必要ではないことを示す設定情報を前記ネットワーク側機器から受信し、又は、前記第１移動情報報告後の所定時間内に前記ネットワーク側機器から設定情報を受信しないと、前記ネットワーク側機器による前記第２移動情報の受信が必要ではないと確定することにより、
前記ネットワーク側機器による前記第２移動情報の受信が必要であるか否かを判断することを特徴とする請求項３に記載の方法。
【請求項５】
前記ユーザ機器は、
前記ネットワーク側機器による前記第２移動情報の受信が必要であると確定する前に、さらに、前記ユーザ機器に前記第２移動情報を有するか否かを示す情報をネットワーク側機器に報告することを含むことを特徴とする請求項３に記載の方法。
【請求項６】
前記ユーザ機器は、
前記第１移動情報をネットワーク側機器に報告する前に、さらに、前記第１移動情報の報告が必要であることを示す設定情報を前記ネットワーク側機器から受信することを含むことを特徴とする請求項２に記載の方法。
【請求項７】
ネットワーク側機器がユーザ機器のアイドル状態からコネクション状態への移行を確定することと、
前記ネットワーク側機器が前記ユーザ機器から報告される移動情報を受信することとを含むことを特徴とする移動情報受信方法。
【請求項８】
前記移動情報は、
ユーザ機器による移動状態推定で確定され、前記ユーザ機器の移動状態を示す情報である第１移動情報、及び／又は、ユーザ機器によるセル再選択の履歴情報である第２移動情報を含むことを特徴とする請求項７に記載の方法。
【請求項９】
前記移動情報は、第１移動情報と第２移動情報を含み、
前記ネットワーク側機器が前記ユーザ機器から報告される移動情報を受信することは、
前記ネットワーク側機器が前記ユーザ機器から報告される前記第１移動情報を受信することと、
前記ネットワーク側機器が前記第２移動情報の受信が必要であると確定してから、前記第２移動情報の報告が必要であることを示す設定情報を前記ユーザ機器に送信することと、
前記ネットワーク側機器が前記ユーザ機器から報告される前記第２移動情報を受信することとを含むことを特徴とする請求項７に記載の方法。
【請求項１０】
さらに、前記ネットワーク側機器は、前記第２移動情報の受信が必要ではないと確定してから、前記第２移動情報の報告が必要ではないとの設定情報を前記ユーザ機器に送信し、又は、前記ユーザ機器に対する設定を行わないことを含むことを特徴とする請求項９に記載の方法。
【請求項１１】
移動情報を報告するユーザ機器において、
アイドル状態からコネクション状態への移行を確定するための第１確定モジュールと、
前記ユーザ機器の移動情報をネットワーク側機器に報告するための報告モジュールとを含むことを特徴とするユーザ機器。
【請求項１２】
前記移動情報は、
ユーザ機器による移動状態推定で確定され、前記ユーザ機器の移動状態を示す情報である第１移動情報、及び／又は、ユーザ機器によるセル再選択の履歴情報である第２移動情報を含むことを特徴とする請求項１１に記載のユーザ機器。
【請求項１３】
前記移動情報は、第１移動情報と第２移動情報を含み、
前記報告モジュールは、具体的に、
第１移動情報をネットワーク側機器に報告し、
前記ネットワーク側機器による前記第２移動情報の受信が必要であると確定してから、前記第２移動情報を前記ネットワーク側機器に報告し、
又は、
前記移動情報は、第２移動情報を含み、
前記報告モジュールは、具体的に、
空き情報をネットワーク側機器に報告し、
前記ネットワーク側機器による前記第２移動情報の受信が必要であると確定してから、前記第２移動情報を前記ネットワーク側機器に報告することを特徴とする請求項１２に記載のユーザ機器。
【請求項１４】
前記報告モジュールは、
前記第２移動情報の報告が必要であることを示す設定情報を前記ネットワーク側機器から受信すると、前記ネットワーク側機器による前記第２移動情報の受信が必要であると確定し、
前記第２移動情報の報告が必要ではないことを示す設定情報を前記ネットワーク側機器から受信し、又は、前記第１移動情報報告後の所定時間内に前記ネットワーク側機器から設定情報を受信しないと、前記ネットワーク側機器による前記第２移動情報の受信が必要ではないと確定することにより、
前記ネットワーク側機器による前記第２移動情報の受信が必要であるか否かを判断することを特徴とする請求項１３に記載のユーザ機器。
【請求項１５】
前記報告モジュールは、さらに、
前記ネットワーク側機器による前記第２移動情報の受信が必要であると確定する前に、前記ユーザ機器に前記第２移動情報を有するか否かを示す情報をネットワーク側機器に報告することを特徴とする請求項１３に記載のユーザ機器。
【国際調査報告】
2016532402.tif 000013
2016532402.tif 000014
2016532402.tif 000015
2016532402.tif 000016